(57)【特許請求の範囲】
【請求項１】
取付孔を有するプリント基板と、一方の面の端部に端子部を露出させて形成した端子形成部、及びこの端子形成部から延出して信号伝達側に引き回しされる回路パターンを形成した連結部を有する可撓性のフレキシブルプリント基板とを備え、前記端子形成部は、前記連結部を前記信号伝達側に延出する基部と、前記プリント基板の前記取付孔に挿入する挿入方向の折り曲げ線に沿って、前記端子部が外側に露出するように前記基部と対向する側に折り曲げて形成した折り曲げ部とを有し、この折り曲げ部と前記基部との互いの端面が対向するように前記折り曲げ線から折り曲げて、前記折り曲げ部と前記基部を前記プリント基板の前記取付孔に挿入して取り付けるようにしたことを特徴とするフレキシブルプリント基板の取付構造。
【請求項２】
前記基部と前記折り曲げ部の外側の面に、前記端子部をそれぞれ露出させて形成したことを特徴とする請求項１記載のフレキシブルプリント基板の取付構造。
【請求項３】
前記基部は、前記端子部を形成した端子部形成領域とし、また、前記折り曲げ部は前記端子部を形成してない端子部不形成領域としたことを特徴とする請求項１記載のフレキシブルプリント基板の取付構造。
【請求項４】
前記取付孔は、長い孔と短い孔とから成る凸状に形成し、前記基部、あるいは前記折り曲げ部には、前記曲げ根本部と、この曲げ根本部と対向する側の端面に切り欠き部を設けて細幅部を形成し、この細幅部を前記短い孔に嵌入させるようにしたことを特徴とする請求項１、２、または３記載のフレキシブルプリント基板の取付構造。
【請求項５】
前記取付孔は、前記曲げ根本部が位置する側を幅狭に、前記曲げ根本部が対向する側の端面が位置する側を幅広に形成したことを特徴とする請求項１、２、または３記載のフレキシブルプリント基板の取付構造。
【請求項６】
前記折り曲げ部と前記基部とを接着剤で接着し、前記端子部を前記取付孔の一方側の内面に当接させて取り付けるようにしたことを特徴とする請求項１、２、３、４、または５記載のフレキシブルプリント基板の取付構造。
【発明の詳細な説明】
【０００１】
【発明の属する技術分野】
本発明は、例えばフロッピディスクやハードディスク等の記録／再生用ディスクを用いた記録再生装置における、記録ヘッドへの信号伝達を行うフレキシブルプリント基板（以下ＦＰＣと称す）の取付構造およびそれを用いた記録再生装置に関する。
【０００２】
【従来の技術】
従来のフレキシブルプリント基板（以下ＦＰＣと称する）の取付構造を用いた記録再生装置を、例えば、実開昭６３−７２７１２号公報により公知の磁気記録再生装置を基に説明する。この公知の磁気記録再生装置の一部の構成は、図１４に示すように、キャリッジ８と、このキャリッジ８のヘッド取付台８ａの上部には、板ばね１２を介してヘッド支持アーム１１が取付られ、このヘッド支持アーム１１は上下に回動自在に弾性付勢されている。
【０００３】
前記ヘッド取付台８ａ及びヘッド支持アーム１１の先端には、それぞれ一対の磁気ヘッドから成る記録ヘッド６、７が、対向した状態で取り付けられている。これら両記録ヘッド６、７を一点鎖線で示すフロッピディスクから成る記録ディスク１０の上下両面に弾性的に接触させ、キャリッジ８をガイド軸１５によって案内しながら、記録ディスク１０の半径方向である矢印Ａ方向に往復移送させるようになっている。
そして、記録ディスク１０を高速回転させながら、両記録ヘッド６、７を矢印Ａ方向に移動させ、記録ディスク１０の上下両面に情報の記録／再生あるいは消去等を行うことができるようになっている。
【０００４】
ところで、この種の記録再生装置において、両記録ヘッド６、７には、ＦＰＣ２１、２２の一端側が接続され、このＦＰＣ２１、２２の他端側がコネクタ２４を介してプリント基板２３の回路パターン（図示せず）に接続されている。
このような記録再生装置の従来のＦＰＣ２１、２２の取付構造は、図１５に示すように、プリント基板２３に予め取り付けているコネクタ２４を、記録再生装置のシャーシ２５の透孔２５ａに挿通して突出させる。
【０００５】
一方両記録ヘッド６、７に一端側が接続されたＦＰＣ２１、２２の他端側をヘッド取付台８ａ、及びヘッド支持アーム１１から外部に導出し、このＦＰＣ２１、２２の他端側の一方の面には、端子部２１ａ、２２ａが露出して形成されている。
この端子部２１ａ、２２ａが形成されているＦＰＣ２１、２２の他端側を、コネクタ２４の複数の接点部を有する接続部２４ａに挿入することによって、両記録ヘッド６、７とプリント基板２３の配線パターン（図示せず）とが、電気的に導通するようになっている。
【０００６】
なお、ＦＰＣ２１、２２の端子部２１ａ、２２ａには、図１５に示すような補強部材である補強板２６が裏面に接着され、端子部２１ａ、２２ａと、この近傍のＦＰＣ２１、２２が強度アップされ、キャリッジ８を矢印Ａ方向に高速で往復移送しても、ＦＰＣ２１、２２が折れたりしないようになっている。
また、補強板２６によって、端子部２１ａ、２２ａを形成した部分のＦＰＣ２１、２２の厚さ寸法が略０．３ｍｍになり、端子部２１ａ、２２ａをコネクタ２４の接続部２４ａに挿入して確実に接続できるようになっている。
また、従来のその他のＦＰＣ取付構造として、図１６に示すような略コ字状の補助部材２７の内側側面２７ａ（２７ｂ）に、接着剤等でＦＰＣ２１（２２）の接着面２１ｂ（２２ｂ）を取り付け、この補助部材２７をプリント基板２３に載置して、下方側に突出した端子部２１ａ（２２ｂ）を、直接プリント基板２３の取付孔２３ａに挿入して半田等で取り付けていた。
【０００７】
このように、従来のＦＰＣ２１、２２の取付構造は、補強板２６、あるいは補助部材２７により、薄板で可撓性のあるＦＰＣ２１、２２を補強して、コネクタ２４を介してプリント基板２３に、あるいは直接プリント基板２３に取り付けていたので、キャリッジ８が矢印Ａ方向への往復移動をしても、ＦＰＣ２１、２２が倒れたりするようなことがなく、コネクタ２４、あるいは直接プリント基板２３に取り付けた端子部２１ａ、２２ａが導通不良等になったりせず、信頼性が高かった。
【０００８】
【発明が解決しようとする課題】
しかし、前述のような従来のＦＰＣ２１、２２の取付構造では、補強板２６、あるいは補助部材２７等によりＦＰＣ２１、２２を補強していたために、部品点数が増えてコストアップになるという問題があった。
また、従来のＦＰＣ２１、２２の取付構造を用いた記録再生装置では、補強板２６、あるいは補助部材２７等を取り付けるための組立工数が必要になり、組立性が悪くなって、生産性が低下するという問題があった。
本発明は、前述のような課題を解決して、特別な補強部材等を必要とせず、少ない部品点数で強度をアップさせることができるＦＰＣの取付構造、及びそれを用いた記録再生装置を提供することを目的とする。
【０００９】
【課題を解決するための手段】
前記課題を解決するための第１の解決手段として本発明のフレキシブル基板の取付構造は、取付孔を有するプリント基板と、一方の面の端部に端子部を露出させて形成した端子形成部、及びこの端子形成部から延出して信号伝達側に引き回しされる回路パターンを形成した連結部を有する可撓性のフレキシブルプリント基板とを備え、前記端子形成部は、前記連結部を前記信号伝達側に延出する基部と、前記プリント基板の前記取付孔に挿入する挿入方向の折り曲げ線に沿って、前記端子部が外側に露出するように前記基部と対向する側に折り曲げて形成した折り曲げ部とを有し、この折り曲げ部と前記基部との互いの端面が対向するように前記折り曲げ線から折り曲げて、前記折り曲げ部と前記基部を前記プリント基板の前記取付孔に挿入して取り付けるような構成とした。
【００１０】
また、前記課題を解決するための第２の解決手段として、前記基部と前記折り曲げ部の外側の面に、前記端子部をそれぞれ露出させて形成した構成とした。
【００１１】
また、前記課題を解決するための第３の解決手段として、前記基部は、前記端子部を形成した端子部形成領域とし、また、前記折り曲げ部は前記端子部を形成してない端子部不形成領域とした構成とした。
【００１２】
また、前記課題を解決するための第４の解決手段として、前記取付孔は、長い孔と短い孔とから成る凸状に形成し、前記基部、あるいは前記折り曲げ部には、前記曲げ根本部と、この曲げ根本部と対向する側の端面に切り欠き部を設けて細幅部を形成し、この細幅部を前記短い孔に嵌入させるような構成とした。
【００１３】
また、前記課題を解決するための第５の解決手段として、前記取付孔は、前記曲げ根本部が位置する側を幅狭に、前記曲げ根本部が対向する側の端面が位置する側を幅広に形成した構成とした。
【００１４】
また、前記課題を解決するための第６の解決手段として、前記折り曲げ部と前記基部とを接着剤で接着し、前記端子部を前記取付孔の一方側の内面に当接させて取り付けるような構成とした。
【００２１】
【発明の実施の形態】
本発明のフレキシブルプリント基板（以下ＦＰＣと称する）の取付構造、及びそれを用いた記録再生装置（以下装置と称する）を図面を基に説明する。
図１は本発明に係わる装置の平面図、図２はその部分拡大斜視図、図３は本発明に係わるＦＰＣのの要部斜視図、図４〜図７は本発明のＦＰＣの取付構造を説明する概略図であり、図８〜図１０は本発明の変形例を説明する概略図であり、図１１〜図１３は本発明のその他の実施の形態を説明する概略図である。
なお、従来の技術で説明したものと同一のものについては同一の番号を付して説明する。
【００２２】
本発明に係わる装置を、例えばフロッピディスク等の記録ディスクを用いる磁気記録再生装置で説明すると、図１に示す装置１は、上方が開放されたメインシャーシ２と、このメインシャーシ２に取り付けられ、表面に配線パターン（図示せず）が形成されたフェノール樹脂等から成る比較的硬いプリント基板３とを備えている。このプリント基板３の上方には、後述する記録ディスク１０を装着して回転させるためのターンテーブル４を回転自在に取り付けたサブシャーシ５が配設されている。
【００２３】
このサブシャーシ５には、後述するＦＰＣ１６、１７の端子形成部１６ｃ、１７ｃを挿通するために、略小判形状の透し孔５ａが設けられ、中央部には、磁気ヘッドから成る一対の記録ヘッド６、７を取り付けたキャリッジ８が配設されている。
また、キャリッジ８を矢印Ａ方向に往復移動させて、一対の記録ヘッド６、７を図２の一点鎖線で示す記録ディスク１０の半径方向に往復移動させるためのステッピングモータ９がサブシャーシ５に取り付けられている。
【００２４】
前記キャリッジ８は図２に示すように、下方側にヘッド取付台８ａと、上方側に板ばね１２を介して複数のビス１３等により回動可能に取り付けられたヘッド支持アーム１１とが配設されている。
これらヘッド取付台８ａとヘッド支持アーム１１の先端の上下対向面８ｂ、１１ａには、それぞれ取付板１４を介して上下に対向状態で一対の記録ヘッド６、７が取り付けられている。
【００２５】
これら一対の記録ヘッド６、７は、図２の記録ディスク１０の上下両面に接触させた状態で、ステッピングモータ９の駆動により、キャリッジ８がガイド軸１５で案内されて矢印Ａ方向に移動する動作で、記録ディスク１０の半径方向に往復移動するようになっている。
そして、ターンテーブル４に装着した記録ディスク１０を、高速回転させながら、一対の記録ヘッド６、７を矢印Ａ方向に移動させ、記録ディスク１０の上下両面に情報の記録／再生あるいは消去等を行うことができる。
【００２６】
前記一対の記録ヘッド６、７には、プリント基板３に接続される、可撓性があってフィルム状のＦＰＣ１６、１７が接続され、このＦＰＣ１６、１７を介して、一対の記録ヘッド６、７には、プリント基板３側に取り付けられた制御部（図示せず）からの記録再生信号等が伝達されるようになっている。
このような装置１に用いられる、本発明のＦＰＣの取付構造を説明すると、プリント基板３には、ＦＰＣ１６、１７の端子形成部１６ｃ、１７ｃが挿入される取付孔３ａが形成されている。
【００２７】
前記ＦＰＣ１６、１７は、それぞれ同一の形状と構成なので、以降の説明はＦＰＣ１６側のみを説明してＦＰＣ１７側の説明は省略する。
前記ＦＰＣ１６は、図３に示すように、一方の面の下方側端部には銅箔等から成る端子部１６ａが印刷等により露出されて形成され、この端子部１６ａから上方に引き出されて回路パターン１６ｂが形成されている。この回路パターン１６ｂの上面には、プラスッチックフィルム等がラミネート加工等で接着されて、表面が覆われて絶縁された状態になっている。
また、端子形成部１６ｃから延出して連結部１６ｄが形成され、この連結部１６ｄには、前記制御部から送られる記録再生信号等を信号伝達側である記録ヘッド６、７側に伝達するための回路パターン１６ｂが引き回し形成されている。
【００２８】
前記端子形成部１６ｃには、図３、４に示すように連結部１６ｄを延出する基部１６ｅと、プリント基板３の取付孔３ａに挿入する挿入方向（矢印Ｄ方向）の折り曲げ線１６ｆに沿って、基部１６ｅから折り曲げて形成した、曲げ根本部１６ｈと折り曲げ部１６ｍとが設けられている。
この折り曲げ部１６ｍの折り曲げは、基部１６ｅの一方の面に端子部１６ａが出されて形成され、折り曲げ線１６ｆから矢印Ｃ方向に、折り曲げ部１６ｍをＵ字状に折り曲げて、基部１６ｅと折り曲げ部１６ｍとが互いに対向するようになっている。
【００２９】
前記折り曲げ線１６ｆから折り曲げられた基部１６ｅと折り曲げ部１６ｍとは、略同一面積に形成され、基部１６ｅは図３に示すように、複数の端子部１６ａが形成された端子部形成領域とし、また、折り曲げ部１６ｍは、端子部１６ａを形成してない端子部不形成領域としている。
そして、連結部１６ｄは端子形成部１６ｃの基部１６ｅの図示上端部から、略水平方向に延出されて、基部１６ｅと折り曲げ部１６ｍを折り曲げした端子形成部１６ｃを、プリント基板３の取付孔３ａに挿入して、プリント基板３にＦＰＣ１６を取り付けるようになっている。
【００３０】
前記プリント基板３の取付孔３ａは、図４に示すように、長い孔３ｂと短い孔３ｃとから成る外形が略凸状に形成されている。また、ＦＰＣ１６の折り曲げ後の端子形成部１６ｃの基部１６ｅには、曲げ根本部１６ｈ側に切り欠き部１６ｋと、曲げ根本部１６ｈが対向する側の端面１６ｇに切り欠き部１６ｊとがそれぞれ設けられている。この対向する一対の切り欠き部１６ｊ、１６ｋに挟まれた間に細幅部１６ｎが形成されている。
前記曲げ根本部１６ｈの切り欠き部１６ｋは、図３に示す折り曲げ前の折り曲げ線１６ｆ上に、矩形の孔１６ｒを形成し、基部１６ｅを折り曲げ線１６ｆから折り曲げて形成している。
【００３１】
このようなＦＰＣ１６を取付孔３ａに取り付けるには、図５に示すように、折り曲げ後の折り曲げ部１６ｍと基部１６ｅとが、互いに密着する程度に荷重を加えて折り曲げて、取付孔３ａの長い孔３ｂに挿入する。
そして、切り欠き部１６ｊ、１６ｋを、短い孔３ｃに位置させた状態で、基部１６ｅと折り曲げ部１６ｍとに加えていた加重を取り去ると、可撓性のあるＦＰＣ１６のスプリングバックで、図６のように細幅部１６ｎを有する基部１６ｅが短い孔３ｃ側に移動して、ＦＰＣ１６が略Ｕ字状になる。
そして、図７に示すように、短い孔３ｃにＦＰＣ１６の細幅部１６ｎが位置して、切り欠き部１６ｊ、１６ｋによってＦＰＣ１６がプリント基板３から抜け止めされる。
【００３２】
本発明のＦＰＣの取付構造の説明では、曲げ根本部１６ｈと基部１６ｅの端面１６ｇとに、一対の切り欠き部１６ｊ、１６ｋを形成したもので説明したが、基部１６ｅの端面１６ｇには切り欠き部１６ｊを設けないで、折り曲げ部１６ｍの端面１６ｐに切り欠き部（図示せず）を形成したものでも良い。
このときの取付孔３ａは、図４に示す向きと逆向きにすることによって、端子形成部１６ｃをプリント基板３から抜け止めすることができる。
【００３３】
即ち、取付孔３ａは、長い孔３ｂと短い孔３ｃとから成る凸状に形成し、ＦＰＣ１６の基部基部１６ｅ、あるいは折り曲げ部１６ｍには、曲げ根本部１６ｈとこの曲げ根本部１６ｈが対向する側の端面１６ｇに切り欠き部１６ｊ、１６ｋを設けて細幅部１６ｎを形成し、この細幅部１６ｎを取付孔３ａの短い孔３ｃに嵌入させることにより、ＦＰＣ１６の端子形成部１６ｃが取付孔３ａから抜け止めされるようになっている。
また、図７に示すように、取付孔３ａに嵌入されて抜け止めされたＦＰＣ１６は、プリント基板３の下面側に形成されている配線パターン（図示せず）に、端子部１６ａが弾接すると共に、半田（図示せず）等により接続されて、電気的に導通されるようになっている。
【００３４】
前記基部１６ｅは、複数の端子部１６ａを形成した端子部形成領域とし、また、折り曲げ部１６ｍは、端子部１６ａを形成しない端子部不形成領域として説明したが、基部１６ｅと折り曲げ部１６ｍの両方の外側の面に、端子部１６ａをそれぞれ露出させて形成したものでもよい。
この場合、取付孔３ａに挿入後の、端子形成部１６ｃの折り曲げ形状を、図６のように、外側に露出しているそれぞれの端子部１６ａが、取付孔３ａの内面に隙間なく当接するような略Ｕ字状に折り曲げれば、半田付け性を良くすることができる。
また、プリント基板３に凸状に形成した取付孔３ａのその他の実施の形態として、図８に示すような、ＦＰＣ１６の曲げ根本部１６ｈが位置する側を寸法Ｅの幅狭に、曲げ根本部１６ｈが対向する側の端面１６ｇ、１６ｐが位置する側を寸法Ｆの幅広の、略台形状に形成した取付孔３ｆでも良い。この場合、図６に示すような、曲げ根本部１６ｈがＵ字状に復帰しなくてＶ字状になったとしても、基部１６ｅに形成した複数の端子部１６ａを、取付孔３ｆの内面に隙間なく当接させることができる。そのために、端子部１６ａの半田付け性を向上させることができる。
【００３５】
また、前述したような取付孔３ｆの変形例として、図９に示すように、ＦＰＣ１６の折り曲げ部１６ｍが当接する側の内面３ｋを階段状に形成して、ＦＰＣ１６の曲げ根本部１６ｈが位置する側を幅狭に、曲げ根本部１６ｈが対向する側の端面１６ｇ、１６ｐが位置する側を幅広に形成したものでも良い。
また、本発明の実施の形態では、折り曲げた基部１６ｅと折り曲げ部１６ｍのスプリングバックを利用して、プリント基板３の取付孔３ａに取り付けたもので説明したが、図１０に示すように、折り曲げ部１６ｍと基部１６ｅとを両面テープ等から成る接着剤Ｓで接着し、この接着した折り曲げ部１６ｍと基部１６ｅとを矢印Ｇ方向に押圧して、基部１６ｅの端子部１６ａを取付孔３ａの短い孔３ｃ側の内面である一方側の内面に当接させて取り付けるようにしたものでも良い。
【００３６】
また、本発明のその他の実施の形態として、従来例で説明したコネクタ２４を用いるものについて説明すると、図１２に示すように、プリント基板３には、例えば２個のコネクタ２４が取り付けられ、このコネクタ２４はサブシャーシ５の透し孔５ａから突出した状態になっている。
前記それぞれのコネクタ２４には、上方に開口部を有する接続部２４ａが形成され、この接続部２４ａの内部には接続端子２４ｂと弾性接片２４ｃとが配設されている。
前記接続部２４ａにはＦＰＣ３６、３７の端子形成部３６ｃ、３７ｃが挿入されるようになっている。
【００３７】
前記ＦＰＣ３６（ＦＰＣ３７はＦＰＣ３６と同一の形状と構成なので、以後の説明はＦＰＣ３６側のみを説明する）は、図１１に示すように、一方の面の下方側端部には端子部３６ａが印刷等で露出させて形成され、この端子部３６ａの上方には端子部３６ａから回路パターン１６ｂが引き出され、フィルムで被覆されて端子形成部３６ｃが形成されている。
また、端子形成部３６ｃから延出して連結部３６ｄが形成され、この連結部３６ｄには、回路パターン３６ｂが引き回し形成されている。
【００３８】
前記端子形成部３６ｃには、連結部３６ｄを延出する一方の面である基部３６ｅと、コネクタ２４の接続部２４ａに挿入する挿入方向（矢印Ｄ方向）の折り曲げ線（図示せず）に沿って基部３６ｅから折り曲げて形成した、図１１に示すような、曲げ根本部３６ｈと折り曲げ部３６ｍとが設けられている。
前記基部３６ｅと折り曲げ部３６ｍとは、略同一面積に形成され、この折り曲げられた基部３６ｅと折り曲げ部３６ｍとから成る端子形成部３６ｃの裏面には接着剤Ｓである両面粘着テープ等が接着されている。
【００３９】
そのために、折り曲げ後の基部３６ｅと折り曲げ部３６ｍとは、図１１に示すように接着剤Ｓによって互いが接着されて、端子形成部３６ｃの倒れに対する強度がアップするようになっている。
そして、接着剤Ｓで接着された基部３６ｅと折り曲げ部３６ｍとは、接着剤Ｓを挟んで互いに平行状態となり、端子部３６ａの部分の厚さ寸法が略０．３ｍｍとなるようになっている。そのために、図１２に示すように、接続部２４ａに挿入したＦＰＣ３６の端子部３６ａは、折り曲げ部３６ｍ側が弾性接片２４ｃの弾性力で接続端子２４ｂに確実に接触して、端子部３６ａと接続端子２４ｂとが電気的に導通するようになっている。
【００４０】
また、本発明のその他の実施の形態のＦＰＣの変形例として、図１３に示すように、ＦＰＣ４６は、端子部４６ａが形成された基部４６ｅと、この基部４６ｅの下方側に延長された折り曲げ部４６ｍとが形成されて、端子形成部４６ｃが設けられている。
前記折り曲げ部４６ｍは、コネクタ２４の接続部２４ａに挿入する挿入方向と直交する方向の折り曲げ線Ｈに沿って、矢印Ｊ方向の上方に折り曲げ、接着剤Ｓで接着するようにしたものでも良い。
【００４１】
前述したような本発明のＦＰＣの取付構造を用いた装置１は、図２に示すように、取付孔３ａに取り付けた端子形成部１６ｃは、信号伝達側である記録ヘッド６、７の移動方向（矢印Ａ方向）と平行になるように取り付けられている。
また、装置１の説明では、磁気ヘッドから成る記録ヘッド６、７を搭載して、フロッピーディスク等の記録ディスク１０を用いた磁気記録再生装置を例に説明したが、装置１は、磁気記録再生装置に限定されるものではなく、光学系等の記録再生装置等に広く用いることも可能である。
【００４２】
【発明の効果】
本発明のフレキシブルプリント基板の取付構造は、プリント基板の取付孔に挿入する挿入方向の折り曲げ線に沿って、端子部が外側に露出するように基部から折り曲げて形成した曲げ根本部と折り曲げ部とを有し、この折り曲げ部と基部を前記プリント基板の前記取付孔に挿入して取り付けるようにしたので、プリント基板へのフレキシブルプリント基板の取付強度を強くすることができる
そのために、特別な補強部材等の補助部材が不要になり、部品点数を少なくすることができると共に、組立効率の良いフレキシブルプリント基板の取付構造を提供できる。
【００４３】
また、前記基部と前記折り曲げ部の外側の面に、前記端子部をそれぞれ露出させて形成したので、基部と折り曲げ部との２つの面に数多くの端子部を形成することができ、プリント基板の実装密度を向上できる。
【００４４】
また、前記基部は、前記端子部を形成した端子部形成領域とし、また、前記折り曲げ部は前記端子部を形成してない端子部不形成領域としたので、基部側にだけ形成した端子部を、端子形成部のスプリングバックを利用して、確実にプリント基板の取付孔の内面に密着させて取り付けることができ、フレキシブルプリント基板の端子部とプリント基板との半田付け性を良くすることができる。
【００４５】
また、前記取付孔は、長い孔と短い孔とから成る凸状に形成し、前記基部、あるいは前記折り曲げ部には、前記曲げ根本部とこの曲げ根本部と対向する端面に切り欠き部を設けて細幅部を形成し、この細幅部を前記短い孔に嵌入させるようにしたので、取付孔の短い孔で、フレキシブルプリント基板を確実にプリント基板に抜け止めして取り付けることができる。
そのために、半田付け作業等で、フレキシブルプリント基板をプリント基板に支持する特別な治具等が不要になり、組立効率がよい。
【００４６】
また、取付孔は、曲げ根本部が位置する側を幅狭に、前記曲げ根本部が対向する端面が位置する側を幅広に形成したので、折り曲げ部を折り曲げるときに、曲げ根本部がＶ字状になったとしても、端子部を確実にプリント基板の取付孔の内面に当接させることができ、フレキシブルプリント基板とプリント基板との半田付け性を良くすることができる。
【００４７】
また、折り曲げ部と基部とを接着剤で接着し、端子部を取付孔の一方側の面に当接させて取り付けるようにしたので、フレキシブルプリント基板の強度をさらにアップさせることができる。
【００４８】
また、プリント基板にコネクタを取り付け、折り曲げ後の折り曲げ部と基部とを接着剤で接着した状態で、前記コネクタの接続部に挿入するようにしたので、特別な補強部材等の補助部材がなくとも、フレキシブルプリント基板の強度をアップさせることができると共に、部品点数を少なフレキシブルプリント基板の取付構造を提供できる。
【００４９】
また、折り曲げ部は、コネクタの接続部に挿入する挿入方向の折り曲げ線に沿って折り曲げるようにしたので、曲げ根本部がプリント基板に対して垂直となり、フレキシブルプリント基板の強度を更にアップさせることができる。
【００５０】
また、折り曲げ部は、コネクタの接続部に挿入する挿入方向と直交する方向の折り曲げ線に沿って折り曲げるようにしたので、基部と折り曲げ部とから成る端子形成部の幅方向の寸法を小さくすることができ、フレキシブルプリント基板の材料歩留まりを向上させることができる。
【００５１】
また、本発明の記録再生装置は、前記請求項１乃至請求項９記載のフレキシブルプリント基板の取付構造を用いたので、フレキシブルプリント基板を補強するための補強部材が不要になり、部品点数の少ない低コストの記録再生装置を提供できる。
【００５２】
また、本発明の記録再生装置は、記録ディスクに記録／再生等を行う記録ヘッドを備え、前記取り付け構造のフレキシブルプリント基板を記録ヘッドに接続したので、記録ヘッドに接続したフレキシブルプリント基板を、補強部材を取り付けない状態でプリント基板に強固に取り付けることができる。また、補強部材が不要になるので、組立効率を向上させることができる。
【００５３】
また、本発明の記録再生装置は、フレキシブルプリント基板の端子形成部を、前記記録ヘッドの移動方向と平行にして取り付けたので、記録ヘッドが記録ディスク側に往復移動しても、端子形成部が倒れ難くて変形が小さく、端子形成部に繰り返しの引っ張り加重が加わったとしても、疲労破壊等の障害を防ぐことができる。そのために長寿命の記録再生装置を提供することができる。
【図面の簡単な説明】
【図１】本発明のの記録再生装置の平面図である。
【図２】本発明の記録再生装置の要部拡大斜視図である。
【図３】本発明に係わるフレキシブルプリント基板の要部斜視図である。
【図４】本発明のフレキシブルプリント基板の取付構造の要部斜視図である。
【図５】本発明のフレキシブルプリント基板の取付構造の要部平面図である。
【図６】本発明のフレキシブルプリント基板の取付構造の要部平面図である。
【図７】本発明のフレキシブルプリント基板の取付構造の要部断面図である。
【図８】本発明に係わるプリント基板の取付孔の変形例を示す概略平面図である。
【図９】本発明に係わるプリント基板の取付孔の変形例を示す概略平面図である。
【図１０】本発明のフレキシブルプリント基板の取付構造の変形例の要部平面図である。
【図１１】本発明のフレキシブルプリント基板の取付構造のその他の実施の形態の要部斜視図である。
【図１２】本発明のフレキシブルプリント基板の取付構造のその他の実施の形態の要部断面図である。
【図１３】本発明のフレキシブルプリント基板の取付構造のその他の実施の形態に係わるフレキシブルプリント基板の要部斜視図である。
【図１４】従来の記録再生装置の要部拡大斜視図である。
【図１５】従来のフレキシブルプリント基板の取付構造の要部断面図である。
【図１６】従来のフレキシブルプリント基板の取付構造の変形例を示す要部斜視図である。
【符号の説明】
１  記録再生装置
２  メインシャーシ
３  プリント基板
３ａ  取付孔
３ｂ  長い孔
３ｃ  短い孔
４  ターンテーブル
５  サブシャーシ
５ａ  透し孔
６  記録ヘッド
７  記録ヘッド
８  キャリッジ
９  ステッピングモータ
１０  記録ディスク
１１  ヘッド支持アーム
１１ａ  対向面
１２  板ばね
１３  ビス
１４  取付板
１５  ガイド軸
１６  フレキシブルプリント基板
１６ａ  端子部
１６ｂ  回路パターン
１６ｃ  端子形成部
１６ｄ  連結部
１６ｅ  基部
１６ｆ  折り曲げ線
１６ｇ、１６ｐ  端面
１６ｈ  曲げ根本部
１６ｊ、１６ｋ  切り欠き部
１６ｍ  折り曲げ部
１６ｎ  細幅部
１７  フレキシブルプリント基板
Ｓ  接着剤
【図１】
0003848480.tif 000002
【図２】
0003848480.tif 000003
【図３】
0003848480.tif 000004
【図４】
0003848480.tif 000005
【図５】
0003848480.tif 000006
【図６】
0003848480.tif 000007
【図７】
0003848480.tif 000008
【図８】
0003848480.tif 000009
【図９】
0003848480.tif 000010
【図１０】
0003848480.tif 000011
【図１１】
0003848480.tif 000012
【図１２】
0003848480.tif 000013
【図１３】
0003848480.tif 000014
【図１４】
0003848480.tif 000015
【図１５】
0003848480.tif 000016
【図１６】
0003848480.tif 000017